(57)【要約】【課題】  壁等に画像形成装置を寄せて設置した場合であっても、排気を所定方向に排気を流通させることが可能な画像形成装置を提供する。【解決手段】  筐体３から外側にずれた位置に設けられ枠部１１と、当該枠部１１により構成された排気口１１Ａには鎧窓状のルーバ部１３と、枠部１１と筐体３とを連結する側面部１５とを備え、かつ、当該側面部１５のうち第１側面部１５Ａに第１開口部１４Ａを設ける。これにより、壁に画像形成装置１を寄せて設置した場合であっても、第１開口部１４Ａは当該壁と対向することなく、突出方向と直交する方向に向けて開口した状態となる。したがって、予め設定された所定方向に排気を流通させることが可能となり得る。【選択図】図３
2016090597.tif 000002
【特許請求の範囲】
【請求項１】
シートに画像を形成する画像形成部と、
前記画像形成部を収納する筐体であって、当該筐体の内側と外側とを連通させる連通口が設けられた筐体と、
前記筐体内の空気を前記連通口を通して外部に排出する送風機と、
前記筐体から外側にずれた位置に設けられ枠部であって、前記連通口と対向する位置で開口する排気口の外縁を構成する枠部と、
前記排気口に設けられた鎧窓状のルーバ部と、
前記枠部と前記筐体とを連結するとともに、第１開口部が設けられた側面部と
を備えることを特徴とする画像形成装置。
【請求項２】
前記ルーバ部は、帯板状に形成された複数の羽板を有し、それら複数の羽板は互いに平行に配設されており、
前記第１開口部は、前記羽板の長手方向一端側に設けられていることを特徴とする請求項１に記載の画像形成装置。
【請求項３】
前記複数の羽板のうち少なくとも１つの羽板の長手方向一端側には、前記側面部の一部を構成するとともに、当該羽板から連続した第１案内部が設けられていることを特徴とする請求項２に記載の画像形成装置。
【請求項４】
前記枠部、前記ルーバ部及び前記側面部は、前記筐体のうち鉛直方向と平行な側壁部に設けられていることを特徴とする請求項３に記載の画像形成装置。
【請求項５】
前記筐体の水平方向一端側には操作部が設けられ、
前記水平方向一端側を前方側とし、水平方向他端側を後方側としたとき、前記第１開口部は、後方側に向けて開口していることを特徴とする請求項４に記載の画像形成装置。
【請求項６】
前記第１案内部は、排出される空気の流通方向を鉛直方向上方側に案内するように、前記複数の羽板の長手方向と交差する方向に延びていることを特徴とする請求項４又は５に記載の画像形成装置。
【請求項７】
前記複数の羽板のうち少なくとも１つの羽板は、排出される空気の流通方向を鉛直方向上方側に案内することを特徴とする請求項４ないし６のいずれか１項に記載の画像形成装置。
【請求項８】
複数の前記羽板のうち少なくとも１つの羽板の長手方向は、後方側に近づくほどの鉛直方向下方側に下がるように鉛直方向に対して傾いていることを特徴とする請求項７に記載の画像形成装置。
【請求項９】
複数の前記羽板のうち少なくとも１つの羽板の下端は、前記第１案内部と連接していることを特徴とする請求項８に記載の画像形成装置。
【請求項１０】
前記側面部のうち鉛直方向上方側の部位は閉塞されていることを特徴とする請求項４に画像形成装置。
【請求項１１】
前記側面部のうち鉛直方向下方側には第２開口部が設けられていることを特徴とする請求項１０に記載の画像形成装置。
【請求項１２】
前記第２開口部には、排出される空気の流通方向を鉛直方向下方側に案内する第２案内部が設けられていることを特徴とする請求項１１に記載の画像形成装置。
【発明の詳細な説明】
【技術分野】
【０００１】
本発明は、シートに画像を形成する画像形成装置に関する。
【背景技術】
【０００２】
特許文献１に記載の発明では、壁等に画像形成装置を寄せて設置した場合であっても、必要な排気量を確保すべく、排気口にドーム状に膨らんだルーバ部を設けている。
【先行技術文献】
【特許文献】
【０００３】
【特許文献１】特開２０１０−２０４１８３号公報
【発明の概要】
【発明が解決しようとする課題】
【０００４】
特許文献１に記載の画像形成装置に係るルーバ部は、ドーム状の膨らんだルーバ部が壁部に接触することにより、排気が流通可能な開口部を確保する構成である。そして、ルーバ部が壁部に接触した状態では、当該開口部は壁に向けて開口した状態となる。
【０００５】
このため、特許文献１に記載の画像形成装置では、開口部から排出された排気は壁に衝突し、その流通方向が乱れてしまう。このため、予め設定された所定方向に流通させることが難しい。
【０００６】
本発明は、上記点に鑑み、壁等に画像形成装置を寄せて設置した場合であっても、排気を所定方向に排気を流通させることが可能な画像形成装置を提供する。
【課題を解決するための手段】
【０００７】
本願に係る画像形成装置では、シートに画像を形成する画像形成部（５）と、画像形成部（５）を収納する筐体（３）であって、当該筐体（３）の内側と外側とを連通させる連通口（３Ａ）が設けられた筐体（３）と、筐体（３）内の空気を連通口（３Ａ）を通して外部に排出する送風機（１０）と、筐体（３）から外側にずれた位置に設けられ枠部（１１）であって、連通口（３Ａ）と対向する位置で開口する排気口（１１Ａ）の外縁を構成する枠部（１１）と、排気口（１１Ａ）に設けられた鎧窓状のルーバ部（１３）と、枠部（１１）と筐体（３）とを連結するとともに、第１開口部（１４Ａ）が設けられた側面部（１５）とを備える。
【０００８】
これにより、本願に係る画像形成装置では、壁等に画像形成装置を寄せて設置した場合であっても、第１開口部（１４Ａ）は当該壁等と対向することなく、突出方向と直交する方向に向けて開口した状態となる。
【０００９】
このため、第１開口部（１４Ａ）から排出される排気は、コアンダ効果等により当該壁等又は筐体（３）の外壁面に沿って流通する。したがって、予め設定された所定方向に排気を流通させることが可能となり得る。
【００１０】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１１】
【図１】本発明の実施形態に係る画像形成装置１の外観斜視図である。
【図２】本発明の実施形態に係る画像形成装置１の中央断面図である。
【図３】本発明の実施形態に係る画像形成装置１のルーバ部１３等の斜視図である。
【図４】本発明の実施形態に係る画像形成装置１のルーバ部１３等の斜視図である。
【図５】本発明の実施形態に係る画像形成装置１のルーバ部１３等の断面図である。
【図６】本発明の実施形態に係る画像形成装置１のルーバ部１３等の裏面図である。
【発明を実施するための形態】
【００１２】
以下に説明する「発明の実施形態」は実施形態の一例を示すものである。つまり、特許請求の範囲に記載された発明特定事項等は、下記の実施形態に示された具体的手段や構造等に限定されるものではない。
【００１３】
本実施形態は、モノクロ方式のプリンタに本発明に係る画像形成装置を適用したものである。各図に付された方向を示す矢印等は、各図相互の関係を理解し易くするために記載したものである。本発明は、各図に付された方向に限定されるものではない。
【００１４】
少なくとも符号を付して説明した部材又は部位は、「複数」や「２つ以上」等の断りをした場合を除き、少なくとも１つ設けられている。以下、本発明の実施形態を図面と共に説明する。
【００１５】
（第１実施形態）
１．画像形成装置の概要
図１に示すように、画像形成装置１の筐体３は、当該画像形成装置１の外観意匠面を構成する。図２に示すように、筐体３内には画像形成部５等が収納されている。画像形成部５は用紙等のシートに画像を形成する。
【００１６】
画像形成部５は、現像部５Ａ及び定着部５Ｂ等を有する電子写真方式の画像形成部である。現像部５Ａは、シートに現像剤を転写する装置であって、感光ドラム５Ｃ、帯電器５Ｄ、露光器５Ｅ及び転写体５Ｆ等を有する。
【００１７】
感光ドラム５Ｃは現像剤像を担持する。帯電器５Ｄは感光ドラム５Ｃの表面を帯電させる。露光器５Ｅは帯電した感光ドラム５Ｃを露光して静電潜像を形成する。転写体５Ｆは感光ドラム５Ｃに担持された現像剤をシートに転写させる。
【００１８】
定着部５Ｂはシートに転写された現像剤を加熱して現像剤をシートに定着させる。具体的には、当該定着部５Ｂは加熱部５Ｇ及び押圧部５Ｈ等を有している。加熱部５Ｇは、現像部５Ａから排出されたシートを加熱する。押圧部５Ｈは、シートを加熱部５Ｇに押圧する。
【００１９】
２．ルーバ部（排気口）周囲の構造
図１に示すように、筐体３には連通口３Ａが少なくとも１つ（本実施形態では１つ）設けられている。連通口３Ａは筐体３の内側と外側とを連通させる。本実施形態に係る連通口３Ａは、筐体３のうち鉛直方向と平行な側壁部３Ｂ（以下、この側壁部３Ｂをサイドカバー３Ｂともいう。）に設けられている。
【００２０】
サイドカバー３Ｂより画像形成部５側、つまり筐体３内には、図５に示すように、少なくとも１つ（本実施形態では１つ）の送風機１０が配設されている。送風機１０は、筐体３内の空気を連通口３Ａを通して外部に排出する気流を発生させる。なお、本実施形態に係る送風機１０は、連通口３Ａを筐体３内側から覆うようにサイドカバー３Ｂの内壁面側に組み付けられている。
【００２１】
図１に示すように、サイドカバー３Ｂから外側にずれた位置には枠部１１が設けられている。枠部１１は、連通口３Ａと対向する位置で開口する排気口１１Ａの外縁を構成する。なお、本実施形態に係る枠部１１は、額縁状の矩形枠状枠体である。
【００２２】
排気口１１Ａには、図３に示すように、鎧窓状のルーバ部１３が設けられている。当該ルーバ部１３は、排気口１１Ａを跨ぐように延びる帯板状の羽板１３Ａを複数有している。それら複数の羽板１３Ａは、互いに平行に配設された状態で、後方側に近づくほどの鉛直方向下方側に下がるように鉛直方向に対して傾いている。
【００２３】
なお、「後方側」とは、次の通りである。図１に示すように、筐体３（画像形成装置１）の水平方向一端側に操作部１２が設けられている。そして、水平方向一端側を前方側としたとき、水平方向他端側を後方側という。
【００２４】
操作部１２とは、利用者により操作される部位であって、情報を表示する表示部や操作ボタン等のスイッチ類が設けられた部位である。因みに、本実施形態では、図２に示すように、画像形成が形成されたシートは、画像形成装置１（筐体３）の前方側に向けて排出される。
【００２５】
図３及び図４に示すように、枠部１１とサイドカバー３Ｂとは、側面部１５を介してサイドカバー３Ｂに連結されている。側面部１５は、第１側面部１５Ａ、第２側面部１５Ｂ、第３側面部１５Ｃ及び第４側面部１５Ｄ等を有して構成されている。
【００２６】
第１側面部１５Ａは、枠部１１のうち後方側に位置する部位とサイドカバー３Ｂとを連結する。第２側面部１５Ｂは、枠部１１のうち鉛直方向下方側に位置する部位とサイドカバー３Ｂとを連結する。
【００２７】
第３側面部１５Ｃは、枠部１１のうち鉛直方向上方側に位置する部位とサイドカバー３Ｂとを連結する。第４側面部１５Ｄは、枠部１１のうち前方側に位置する部位とサイドカバー３Ｂとを連結する。
【００２８】
図３に示すように、第１側面部１５Ａには、少なくとも１つ（本実実施形態では複数）の第１開口部１４Ａが設けられている。これらの第１開口部１４Ａは、複数の羽板１３Ａの長手方向一端側、つまり複数の羽板１３Ａの長手方向後方側下端側に位置する。つまり、複数の第１開口部１４Ａは、後方側に向けて開口している。
【００２９】
複数の第１開口部１４Ａのうち隣り合う第１開口部１４Ａ間それぞれには、第１案内部１６が設けられている。各第１案内部１６は、図６に示すように、各羽板１３Ａの長手方向一端側、つまり羽板１３Ａの長手方向後方側下端部に設けられて側面部１５（本実施形態では第１側面部１５Ａ）の一部を構成する。
【００３０】
なお、図６は、ルーバ部１３を図５に示す矢視Ａによる図、つまりルーバ部１３等を利用者が画像形成部５側から見たときの図である。補強部材１３Ｂは、複数の羽板１３Ａが過度に撓み変形することを抑制する補強材である。
【００３１】
複数の第１案内部１６ぞれぞれは、対応する各羽板１３Ａの長手方向端部から連続している。各第１案内部１６は、排出される空気の流通方向を鉛直方向上方側に案内するように、対応する羽板１３Ａの長手方向と交差する方向に（本実施形態では、後方側上部に向けて）延びている。
【００３２】
図３に示すように、第２側面部１５Ｂには、少なくとも１つ（本実施家では複数）第２開口部１４Ｂが設けられている。これらの第２開口部１４Ｂは、複数の羽板１３Ａの長手方向後方側下端部に位置する。そして、複数の第２開口部１４Ｂは、鉛直方向下方側に向けて開口している。
【００３３】
複数の第２開口部１４Ｂのうち隣り合う第２開口部１４Ｂ間それぞれには、第２案内部１７が設けられている。各第２案内部１７は、図６に示すように、各羽板１３Ａの長手方向一端側、つまり羽板１３Ａの長手方向後方側下端部に設けられて側面部１５（本実施形態では第２側面部１５Ｂ）の一部を構成する。
【００３４】
複数の第２案内部１７ぞれぞれは、対応する各羽板１３Ａの長手方向端部から連続している。各第２案内部１７は、排出される空気の流通方向を鉛直方向下方側に案内するように、対応する羽板１３Ａの長手方向と交差する方向（本実施形態では、鉛直方向下向き）に延びている。
【００３５】
つまり、本実施形態では、吹出口１１Ａの対角線より鉛直方向上方側に設けられた羽板１３Ａの長手方向下端側には第１案内部１６が設けられている。吹出口１１Ａの対角線より鉛直方向下方側に設けられた羽板１３Ａの長手方向下端側には第２案内部１７が設けられている。
【００３６】
本実施形態では、各第１案内部１６及び各第２案内部１７と対応する各羽板１３Ａとは樹脂にて一体成形されている。このため、各第１案内部１６及び各第２案内部１７と対応する各羽板１３Ａとは、滑らかに連続した形状となっている。
【００３７】
図４に示すように、第３側面部１５Ｃは、枠部１１のうち鉛直方向上方側に位置する部位とサイドカバー３Ｂとを連結する。第４側面部１５Ｄは、枠部１１のうち前方側に位置する部位とサイドカバー３Ｂとを連結する。
【００３８】
第３側面部１５Ｃ及び第４側面部１５Ｄは、開口部が設けられていない壁状の連結部である。このため、本実施形態では、側面部１５のうち鉛直方向上方側及び前方側は閉塞された構成となる。
【００３９】
図５に示すように、各羽板１３Ａは、排気口１１Ａから排出される空気の流通方向を鉛直方向上方側に案内するように構成されている。すなわち、羽板１３Ａの長手方向及び厚み方向と直交する方向を「羽板１３Ａの幅方向」としたとき、各羽板１３Ａの幅方向は、鉛直方向に対して傾くように湾曲し、かつ、幅方向端部のうち連通口３Ａ側の一端部は、幅方向他端部より鉛直方向下方側に位置する。
【００４０】
これにより、連通口３Ａから排出されて排気口１１Ａに到達した空気は、各羽板１３Ａにより、その流通方向が鉛直方向上方側に向けて転向させられる。なお、本実施形態では、枠部１１、ルーバ部１３（複数の羽板１３Ａ）及び側面部１５はサイドカバー３Ｂと共に樹脂にて一体成形されている。
【００４１】
３．本実施形態に係る画像形成装置の特徴
本実施形態に係る画像形成装置１では、筐体３から外側にずれた位置に設けられ枠部１１と、当該枠部１１により構成された排気口１１Ａには鎧窓状のルーバ部１３と、枠部１１と筐体３とを連結する側面部１５とを備え、かつ、当該側面部１５のうち第１側面部１５Ａには第１開口部１４Ａが設けられている。
【００４２】
これにより、本実施形態に係る画像形成装置１では、壁に画像形成装置１を寄せて設置した場合であっても、第１開口部１４Ａは当該壁と対向することなく、突出方向と直交する方向に向けて開口した状態となる。
【００４３】
このため、第１開口部１４Ａから排出される排気は、コアンダ効果等により当該壁又は筐体３の外壁面に沿って流通する。したがって、予め設定された所定方向に排気を流通させることが可能となり得る。
【００４４】
本実施形態では、各第１開口部１４Ａは対応する各羽板１３Ａの長手方向一端側に設けられていることを特徴としている。これにより、コアンダ効果等により各羽板１３Ａに沿って流れる排気を当該羽板１３Ａを利用して各第１開口部１４Ａに導くことが可能となり得る。したがって、排気を確実に第１開口部１４Ａから排出することが可能となり得る。
【００４５】
本実施形態では、第１側面部１５Ａに第１開口部１４Ａが設けられているので、画像形成装置１を壁に寄せて配置されたときに当該壁と画像形成装置１とが衝突し、枠部１１に大きな力が作用して枠部１１及びルーバ部１３が損傷してしまうおそれがある。
【００４６】
これに対して、本実施形態では、各羽板１３Ａの長手方向一端側には、第１側面部１５Ａの一部を構成するとともに、当該羽板１３Ａから連続した第１案内部１６が設けられていることを特徴としている。
【００４７】
これにより、第１案内部１６を枠部１１に作用する力を受ける補強部として機能させることができる。そして、各羽板１３Ａと各第１案内部１６とが連続しているので、各羽板１３Ａに沿って流れてきた排気の気流を乱すことなく効率よく排出することができる。
【００４８】
本実施形態では、第１開口部１４Ａが後方側に向けて開口していることを特徴としている。これにより、排気が前方側、つまり利用者側に流通することを抑制でき得る。
本実施形態では、各羽板１３Ａの長手方向は、後方側に近づくほどの鉛直方向下方側に下がるように鉛直方向に対して傾いていることを特徴としている。
【００４９】
これにより、仮に、画像形成装置１の上面側にコーヒ等の液体が溢れた場合であっても、その溢れた液体を複数の羽板１３Ａを伝わせて第１開口部１４Ａ側に導くことが可能となる。したがって、筐体３内に液体が侵入してしまうことを抑制でき得る。
【００５０】
本実施形態では、側面部１５のうち鉛直方向上方側及び前方側は閉塞された構成となっていることを特徴とする。これにより、操作部１２が設けられた排気口１１Ａよりも鉛直上方側や前方側に排気が届き難くなる。
【００５１】
つまり、第３側面部１５Ｃ及び第４側面部１５Ｄは、利用者により操作される操作部１２側に排気が流通することを抑制する機能を発揮する。延いては、利用者側に排気が流通して利用者に不快感を与えることを抑制でき得る。
【００５２】
（その他の実施形態）
上述の実施形態では、各第１案内部１６及び各第２案内部１７と対応する各羽板１３Ａとを樹脂にて一体成形することにより、各第１案内部１６及び各第２案内部１７と対応する各羽板１３Ａとを滑らかに連続した形状したが、本発明はこれに限定されるものではなく、各第１案内部１６及び各第２案内部１７と対応する各羽板１３Ａと別体として状態で、それらを滑らかに連続した形状としてもよい。
【００５３】
上述の実施形態では、第１側面部１５Ａに第１開口部１４Ａが設けられていたが、本発明はこれに限定されるものではなく、本発明は、第１側面部１５Ａ〜第４側面部１５Ｄのうち少なくとも１つに第１開口部１４Ａが設けられていれば十分である。
【００５４】
上述の実施形態では、第１開口部１４Ａに第１案内部１６を設け、かつ、第２開口部１４Ｂに第２案内部１７を設けたが、本発明はこれに限定されるものではなく、第１案内部１６及び第２案内部１７のうち少なくとも一方を廃止してもよい。
【００５５】
上述の実施形態に係る第１案内部１６は、排出される空気の流通方向を鉛直方向上方側に案内するように複数の羽板１３Ａの長手方向と交差する方向に延びていたが、本発明はこれに限定されるものではない。
【００５６】
上述の実施形態では、複数の羽板１３Ａの長手方向が後方側に近づくほどの鉛直方向下方側に下がるように鉛直方向に対して傾いたが、本発明はこれに限定されるものではなく、例えば、各羽板１３Ａの長手方向が水平方向に平行であってもよい。
【００５７】
上述の実施形態では、モノクロ方式のプリンタに本発明に係る画像形成装置を適用したが、本発明の適用はこれに限定されるものではなく、例えばカラー方式のプリンタにも適用可能である。
【００５８】
本発明は、特許請求の範囲に記載された発明の趣旨に合致するものであればよく、上述の実施形態に限定されるものではない。
【符号の説明】
【００５９】
１… 画像形成装置  ３… 筐体  ３Ａ… 連通口  ３Ｂ… 側壁部（サイドカバー）
５… 画像形成部  ５Ａ… 現像部  ５Ｃ… 感光ドラム
５Ｄ… 帯電器  ５Ｅ… 露光器  ５Ｆ… 転写体  ５Ｂ… 定着部
５Ｇ… 加熱部  ５Ｈ… 押圧部  １０… 送風機  １１… 枠部
１１Ａ… 排気口  １２… 操作部  １３… ルーバ部  １３Ａ… 羽板
１４Ａ… 第１開口部  １４Ｂ… 第２開口部  １５… 側面部
１５Ａ… 第１側面部  １５Ｂ… 第２側面部  １５Ｃ… 第３側面部
１５Ｄ… 第４側面部  １６… 第１案内部  １７… 第２案内部
【図１】
2016090597.tif 000003
【図２】
2016090597.tif 000004
【図３】
2016090597.tif 000005
【図４】
2016090597.tif 000006
【図５】
2016090597.tif 000007
【図６】
2016090597.tif 000008